(57)【特許請求の範囲】
【請求項１】
位置情報及び当該位置情報に対応する時刻情報を含む履歴情報と、ユーザの個人情報と、前記位置情報に対応する場所情報と、に基づいて、前記ユーザが日常的に訪れる領域を表わす生活圏を判定する判定部と、
前記ユーザに提示する情報を取得する取得部と、
を備え、
前記取得部は、前記位置情報が判定された前記生活圏に属するか否かと、前記ユーザが設定した生活圏の情報取得設定と、に応じて、前記ユーザに提示するために取得する情報の内容を変更する、電子機器。
【請求項２】
前記判定部は、更に、検出された前記位置情報が、既に特定されている前記生活圏の少なくとも何れか一つに属するか否かを判定する、請求項１に記載の電子機器。
【請求項３】
前記電子機器は、当該電子機器が備える表示部の表示を制御する表示制御部を更に備え、
前記表示制御部は、現在位置が前記生活圏に属するか否かに関する判定結果を、前記表示部に表示する、請求項２に記載の電子機器。
【請求項４】
前記電子機器は、前記ユーザに提供する情報の選択を行う情報選択部を更に備え、
前記情報選択部は、予め設定された情報選択に関する設定情報に基づいて、前記生活圏に属する施設に関する情報を選択する、請求項１に記載の電子機器。
【請求項５】
前記電子機器は、検出された前記位置情報が変化した場合に、前記履歴情報を記録する、請求項１に記載の電子機器。
【請求項６】
前記判定部は、所定の時間帯に属する前記履歴情報に基づいて、ユーザの自宅の位置及びユーザの職場又は学校の位置の少なくとも何れかを判定する、請求項１に記載の電子機器。
【請求項７】
前記判定部は、前記位置情報に基づく情報検索結果、及び、前記ユーザの個人情報の少なくとも何れかを更に利用して、前記ユーザが利用する駅、食事エリア、買い物エリア、スポーツエリア、及び趣味・娯楽エリアの少なくとも何れかを判定する、請求項６に記載の電子機器。
【請求項８】
前記判定部は、特定した前記ユーザの自宅の位置、職場又は学校の位置、利用する駅、食事エリア、買い物エリア、スポーツエリア及び趣味・娯楽エリアのそれぞれについて、各位置を中心として所定の距離の範囲内となる領域を、該当するエリアとして扱う、請求項７に記載の電子機器。
【請求項９】
電子機器の位置情報を検出する位置検出部と、
前記位置情報に対応する時刻を検出する時刻検出部と、
前記位置情報及び検出した前記時刻に関する時刻情報を含む履歴情報と、ユーザの個人情報と、を含む情報をサーバに送信する送信部と、
送信した前記情報と、前記位置情報に対応する場所情報と、に基づいて、サーバが前記ユーザの日常的に訪れる領域を表わす生活圏を判定した結果に関する情報を受信する受信部と、
受信した前記生活圏を判定した結果に関する情報に基づいて、前記ユーザに提示する情報を取得する取得部と、
を備え、
前記取得部は、前記位置情報が判定された前記生活圏に属するか否かと、前記ユーザが設定した生活圏の情報取得設定と、に応じて、前記ユーザに提示するために取得する情報の内容を変更する、電子機器。
【請求項１０】
前記電子機器は、
前記ユーザに提供する情報の選択を行う情報選択部と、
前記電子機器が備える表示部の表示を制御する表示制御部と、
を更に備え、
前記情報選択部は、前記生活圏を判定した結果に関する情報に基づいて、検出された前記位置情報が、既に特定されている前記生活圏の少なくとも何れか一つに属するか否かを判断し、
前記表示制御部は、現在位置が前記生活圏に属するか否かに関する判断結果を、前記表示部に表示する、請求項９に記載の電子機器。
【請求項１１】
前記情報選択部は、予め設定された情報選択に関する設定情報に基づいて、前記ユーザに提供する、前記生活圏に属する施設に関する情報を選択する、請求項１０に記載の電子機器。
【請求項１２】
前記送信部は、検出された位置情報が変化した場合に、前記位置情報をサーバに送信する、請求項９に記載の電子機器。
【請求項１３】
電子機器で検出された位置情報が、ユーザの日常的に訪れる領域を表わす生活圏に属するか否かと、前記ユーザが設定した生活圏の情報取得設定と、に応じて、ユーザに提示する情報の内容を変更する電子機器から送信された、当該電子機器の位置情報及び当該位置情報に対応する時刻情報を含む履歴情報を取得する取得部と、
前記履歴情報と、前記電子機器のユーザの個人情報と、前記位置情報に対応する場所情報と、に基づいて、前記電子機器のユーザの前記生活圏を判定する判定部と、
を備える、サーバ。
【請求項１４】
前記判定部は、所定の時間帯に属する前記履歴情報に基づいて、ユーザの自宅の位置及びユーザの職場又は学校の位置の少なくとも何れかを判定する、請求項１３に記載のサーバ。
【請求項１５】
前記判定部は、前記位置情報に基づく情報検索結果を更に利用して、前記ユーザが利用する駅、食事エリア、買い物エリア、スポーツエリア、及び趣味・娯楽エリアの少なくとも何れかを判定する、請求項１４に記載のサーバ。
【請求項１６】
前記判定部は、特定した前記ユーザの自宅の位置、職場又は学校の位置、利用する駅、食事エリア、買い物エリア、スポーツエリア及び趣味・娯楽エリアのそれぞれについて、各位置を中心として所定の距離の範囲内となる領域を、該当するエリアとして扱う、請求項１５に記載のサーバ。
【請求項１７】
コンピュータが備える処理部が、位置情報及び当該位置情報に対応する時刻情報を含む履歴情報と、ユーザの個人情報と、前記位置情報に対応する場所情報と、に基づいて、前記ユーザが日常的に訪れる領域を表わす生活圏を判定することと、
コンピュータが備える処理部が、前記ユーザに提示する情報を取得することと、
を含み、
前記情報を取得する際には、前記位置情報が判定された前記生活圏に属するか否かと、前記ユーザが設定した生活圏の情報取得設定と、に応じて、前記ユーザに提示するために取得する情報の内容を変更する、情報判定方法。
【請求項１８】
コンピュータに、
位置情報及び当該位置情報に対応する時刻情報を含む履歴情報と、ユーザの個人情報と、前記位置情報に対応する場所情報と、に基づいて、前記ユーザが日常的に訪れる領域を表わす生活圏を判定する判定機能と、
前記ユーザに提示する情報を取得する取得機能と、
を実現させ、
前記取得機能は、前記位置情報が判定された前記生活圏に属するか否かと、前記ユーザが設定した生活圏の情報取得設定と、に応じて、前記ユーザに提示するために取得する情報の内容を変更する、プログラム。
【発明の詳細な説明】
【技術分野】
【０００１】
本発明は、電子機器、サーバ、情報判定方法及びプログラムに関する。
【背景技術】
【０００２】
情報処理技術の発達に伴い、ＧＰＳ（Ｇｌｏｂａｌ  Ｐｏｓｉｔｉｏｎｉｎｇ  Ｓｙｓｔｅｍ）などの衛星測位システムを利用して現在位置を計測し、計測した現在位置を地図上に表示する装置が提案されている（例えば、以下の特許文献１を参照。）
【先行技術文献】
【特許文献】
【０００３】
【特許文献１】特開平１１−５１６６３号公報
【発明の概要】
【発明が解決しようとする課題】
【０００４】
上記特許文献１に記載のような装置において、自宅や、普段の生活で日常的に利用する職場、学校、飲食店などといった施設を記憶させておく試みもなされている。しかしながら、このような施設を装置に記憶させるためには、ユーザが登録を希望する施設の位置を装置に指定することが必要であり、かかる操作はユーザの利便性を損なうものであった。
【０００５】
そこで、本発明は、上記問題に鑑みてなされたものであり、本発明の目的とするところは、装置の保持者が普段の生活で日常的に訪れる領域である生活圏を、自動的に判定することが可能な、電子機器、サーバ、情報判定方法及びプログラムを提供することにある。
【課題を解決するための手段】
【０００６】
上記課題を解決するために、本発明のある観点によれば、自装置の存在位置を検出する位置検出部と、前記存在位置に対応する時刻を検出する時刻検出部と、前記存在位置と前記時刻とを互いに関連づけて履歴情報として記録する記録制御部と、記録された前記履歴情報に基づいて、保持者が日常的に訪れる領域を表す生活圏を判定する判定部と、を備える電子機器が提供される。
【０００７】
前記判定部は、更に、検出された前記存在位置が、既に特定されている前記生活圏の少なくとも何れか一つに属するか否かを判定してもよい。
【０００８】
前記電子機器は、当該電子機器が備える表示部の表示を制御する表示制御部を更に備え、前記表示制御部は、現在位置が前記生活圏に属するか否かに関する判定結果を、前記表示部に表示してもよい。
【０００９】
前記電子機器は、前記保持者に提供する情報の選択を行う情報選択部を更に備え、前記情報選択部は、予め設定された情報選択に関する設定情報に基づいて、前記生活圏に属する施設に関する情報を選択してもよい。
【００１０】
前記記録制御部は、検出された前記存在位置が変化した場合に、前記履歴情報を記録してもよい。
【００１１】
前記判定部は、所定の時間帯に属する前記履歴情報に基づいて、保持者の自宅の位置及び保持者の職場又は学校の位置の少なくとも何れかを判定してもよい。
【００１２】
前記判定部は、前記存在位置に基づく情報検索結果、及び、前記保持者の個人情報の少なくとも何れかを更に利用して、前記保持者が利用する駅、食事エリア、買い物エリア、スポーツエリア、及び趣味・娯楽エリアの少なくとも何れかを判定してもよい。
【００１３】
前記判定部は、特定した前記保持者の自宅の位置、職場又は学校の位置、利用する駅、食事エリア、買い物エリア、スポーツエリア及び趣味・娯楽エリアのそれぞれについて、各位置を中心として所定の距離の範囲内となる領域を、該当するエリアとして扱ってもよい。
【００１４】
また、上記課題を解決するために、本発明の別の観点によれば、自装置の存在位置を検出する位置検出部と、前記存在位置を示す存在位置情報を送信する送信部と、前記存在位置情報を含む履歴情報に基づいて判定された、保持者が日常的に訪れる領域を表す生活圏を示した生活圏情報を受信する受信部と、を備える電子機器が提供される。
【００１５】
前記電子機器は、前記保持者に提供する情報の選択を行う情報選択部と、前記電子機器が備える表示部の表示を制御する表示制御部と、を更に備え、前記情報選択部は、前記生活圏情報に基づいて、検出された前記存在位置が、既に特定されている前記生活圏の少なくとも何れか一つに属するか否かを判断し、前記表示制御部は、現在位置が前記生活圏に属するか否かに関する判断結果を、前記表示部に表示してもよい。
【００１６】
前記情報選択部は、予め設定された情報選択に関する設定情報に基づいて、前記保持者に提供する、前記生活圏に属する施設に関する情報を選択してもよい。
【００１７】
前記送信部は、検出された前記存在位置が変化した場合に、前記存在位置情報を送信してもよい。
【００１８】
上記課題を解決するために、本発明の更に別の観点によれば、電子機器から送信された、当該電子機器の存在位置を示す存在位置情報を取得する情報取得部と、前記存在位置情報に対応する時刻を検出する時刻検出部と、取得した前記存在位置及び前記時刻を互いに関連づけて履歴情報として記録する記録制御部と、記録された前記履歴情報に基づいて、前記電子機器の保持者が日常的に訪れる領域を表す生活圏を判定する判定部と、を備える情報判定サーバが提供される。
【００１９】
前記判定部は、所定の時間帯に属する前記履歴情報に基づいて、保持者の自宅の位置及び保持者の職場又は学校の位置の少なくとも何れかを判定してもよい。
【００２０】
前記判定部は、前記存在位置に基づく情報検索結果を更に利用して、前記保持者が利用する駅、食事エリア、買い物エリア、スポーツエリア、及び趣味・娯楽エリアの少なくとも何れかを判定してもよい。
【００２１】
前記判定部は、特定した前記保持者の自宅の位置、職場又は学校の位置、利用する駅、食事エリア、買い物エリア、スポーツエリア及び趣味・娯楽エリアのそれぞれについて、各位置を中心として所定の距離の範囲内となる領域を、該当するエリアとして扱ってもよい。
【００２２】
上記課題を解決するために、本発明の更に別の観点によれば、電子機器の存在位置を検出するステップと、前記存在位置に対応する時刻を検出するステップと、前記存在位置と前記時刻とを互いに関連づけて履歴情報として記録するステップと、記録された前記履歴情報に基づいて、前記電子機器の保持者が日常的に訪れる領域を表す生活圏を判定するステップと、を含む情報判定方法が提供される。
【００２３】
上記課題を解決するために、本発明の更に別の観点によれば、コンピュータに、自装置の存在位置を検出する位置検出機能と、前記存在位置に対応する時刻を検出する時刻検出機能と、前記存在位置と前記時刻とを互いに関連づけて履歴情報として記録する記録制御機能と、記録された前記履歴情報に基づいて、保持者が日常的に訪れる領域を表す生活圏を判定する判定機能と、を実現させるためのプログラムが提供される。
【００２４】
上記課題を解決するために、本発明の更に別の観点によれば、電子機器の存在位置を検出する位置検出部と、前記存在位置に対応する時刻を検出する時刻検出部と、前記存在位置と前記時刻とを互いに関連づけて履歴情報として記録する記録制御部と、記録された前記履歴情報に基づいて、保持者が日常的に訪れる領域を表す生活圏を判定する判定部と、を備える情報判定システムが提供される。
【発明の効果】
【００２５】
以上説明したように本発明によれば、装置の保持者が普段の生活で日常的に訪れる領域である生活圏を、自動的に判定することが可能である。
【図面の簡単な説明】
【００２６】
【図１】本発明の第１の実施形態に係る電子機器の構成を示したブロック図である。
【図２】同実施形態に係る電子機器について説明するための説明図である。
【図３】同実施形態に係る履歴情報の一例を示した説明図である。
【図４】同実施形態に係る生活圏の一例を示した説明図である。
【図５】同実施形態に係る生活圏判定処理を説明するための説明図である。
【図６】同実施形態に係る生活圏判定処理を説明するための説明図である。
【図７】同実施形態に係る情報選択処理を説明するための説明図である。
【図８】同実施形態に係る生活圏判定処理の全体的な流れを示した流れ図である。
【図９】同実施形態に係る自宅判定処理の流れの一例を示した流れ図である。
【図１０】同実施形態に係る自宅判定処理の流れの一例を示した流れ図である。
【図１１】同実施形態に係る利用駅判定処理の流れの一例を示した流れ図である。
【図１２】同実施形態に係る食事エリア判定処理の流れの一例を示した流れ図である。
【図１３】同実施形態に係る情報選択処理の流れの一例を示した流れ図である。
【図１４】本発明の第２の実施形態に係る電子機器の構成を示したブロック図である。
【図１５】同実施形態に係る情報判定サーバの構成を示したブロック図である。
【図１６】同実施形態に係る生活圏判定処理の流れの一例を示した流れ図である。
【図１７】同実施形態に係る情報選択処理の流れの一例を示した流れ図である。
【図１８】同実施形態に係る情報選択処理の流れの一例を示した流れ図である。
【図１９】本発明の実施形態に係る電子機器のハードウェア構成を示したブロック図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
なお、説明は、以下の順序で行うものとする。
（１）第１の実施形態
（１−１）電子機器の構成について
（１−２）生活圏判定方法の具体例について
（１−３）生活圏判定方法の流れについて
（１−４）情報選択方法の流れについて
（２）第２の実施形態
（２−１）電子機器の構成について
（２−２）情報判定サーバの構成について
（２−３）生活圏判定方法の流れについて
（２−４）情報選択方法の流れについて
（３）本発明の実施形態に係る電子機器のハードウェア構成について
（４）まとめ
【００２９】
（第１の実施形態）
＜電子機器の構成について＞
まず、図１を参照しながら、本発明の第１の実施形態に係る電子機器の構成について、詳細に説明する。図１は、本実施形態に係る電子機器の構成を示したブロック図である。
【００３０】
本実施形態に係る電子機器１０は、図１に示したように、位置検出部１０１と、時刻検出部１０３と、記録制御部１０５と、判定部１０７と、情報選択部１０９と、表示制御部１１１と、記憶部１１３と、を主に備える。
【００３１】
位置検出部１０１は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信装置等により実現される。位置検出部１０１は、ＧＰＳ、携帯電話等の移動体通信で利用される基地局、ＲＦＩＤ（Ｒａｄｉｏ  Ｆｒｅｑｕｅｎｃｙ  Ｉｄｅｔｉｆｉｃａｔｉｏｎ）やＷｉ−Ｆｉで利用されるアクセスポイントや無線基地局等を利用して、電子機器１０の現在位置を検出する。
【００３２】
位置検出部１０１は、電子機器１０の現在位置を検出すると、検出した現在位置を表す情報（以下、現在位置情報とも称する。）を、後述する記録制御部１０５に出力する。なお、現在位置情報の例として、現在位置の緯度及び経度に関する情報を挙げることができる。なお、現在位置情報は、現在位置の緯度及び経度に関する情報に限定されるわけではなく、現在位置を一意に特定することが可能であれば、任意の情報であってもよい。
【００３３】
位置検出部１０１は、電子機器１０の現在位置を、任意のタイミングで検出することができる。例えば、位置検出部１０１は、電子機器１０の現在位置を常時検出していてもよく、所定の周期ごとに検出してもよい。
【００３４】
また、位置検出部１０１は、検出した現在位置に関する現在位置情報を、任意のタイミングで記録制御部１０５に出力することが可能である。例えば、位置検出部１０１は、現在位置を検出して現在位置情報を生成するごとに、生成した現在位置情報を記録制御部１０５に出力してもよい。また、位置検出部１０１は、現在位置が変化したときに、変化した現在位置に関する現在位置情報を、記録制御部１０５に出力してもよい。
【００３５】
なお、現在位置情報は、電子機器１０のわずかな位置のズレによっても変化しうる情報である。そのため、電子機器１０の現在位置の変化はわずかであり、実質的には同じ場所に位置しているとみなすことが可能な場合であっても、現在位置情報自体は変化している可能性がある。従って、現在位置の変化に応じて現在位置情報が出力される場合、電子機器１０が移動したか否かを判断するための閾値領域を予め設定しておき、位置検出部１０１は、電子機器１０が閾値領域を超えて移動したときに、現在位置が変化したと判断してもよい。
【００３６】
図２は、現在位置が変化したか否かを判断する方法の一例を説明するための説明図である。例えば図２に示したように、ある時刻ｔ１において電子機器１０が位置Ｐ１に存在した場合を考える。ここで、位置検出部１０１には、「着目している地点を中心として半径２０ｍ」などといった、現在位置が変化したか否かを判断するための閾値領域が設定されているものとする。図２に示した場合、時刻ｔ２における位置Ｐ２、時刻ｔ３における位置Ｐ３、及び、時刻ｔ４における位置Ｐ４は、位置Ｐ１を中心とする閾値領域の内部に存在する位置である。従って、位置Ｐ１〜位置Ｐ４については、位置検出部１０１は、現在位置の変化はないと判断する。他方、時刻ｔ５における位置Ｐ５は、図２に示した閾値領域の範囲外に存在する位置である。従って、位置検出部１０１は、位置Ｐ５に関する現在位置情報を取得すると、取得した位置Ｐ５に関する現在位置情報を、記録制御部１０５に出力する。その結果、記録制御部１０５では、電子機器１０の現在位置が変化した場合に、履歴情報を記録することとなる。
【００３７】
時刻検出部１０３は、例えば、ＣＰＵ、ＲＯＭ、ＲＡＭ、通信装置等により実現される。時刻検出部１０３は、現在位置に対応する時刻を検出し、検出した時刻を表す情報（以下、時刻情報とも称する。）を、後述する記録制御部１０５に出力する。時刻検出部１０３は、現在位置に対応する時刻を、電子機器１０の有する時計機能を利用して検出してもよい。また、時刻検出部１０３は、現在位置に対応する時刻を、位置検出部１０１が取得したＧＰＳ等からのデータを参照して検出してもよく、ネットワークを介して時刻サーバ等の外部サーバを参照することで検出してもよい。
【００３８】
記録制御部１０５は、例えば、ＣＰＵ、ＲＯＭ、ＲＡＭ等により実現される。記録制御部１０５は、位置検出部１０１から出力された現在位置情報と、時刻検出部１０３から出力された時刻情報とを互いに関連付けて、後述する記憶部１１３等の所定の箇所に履歴情報として記録する処理の制御を実施する。
【００３９】
記録制御部１０５が、現在位置情報と時刻情報とを関連付けて記録することにより、例えば記憶部１１３等には、図３に示したような履歴情報が格納されることとなる。図３に示したように、履歴情報には、現在位置を表す緯度・経度の記載された現在位置情報と、対応する時刻の記載された時刻情報とが含まれている。なお、図３に示した例はあくまでも一例であって、履歴情報には、図示したもの以外の情報（例えば、電子機器のユーザを表すユーザＩＤ等の情報や、平日／休日などのカレンダーに関する情報等）が更に関連付けられていてもよい。
【００４０】
判定部１０７は、例えば、ＣＰＵ、ＲＯＭ、ＲＡＭ、通信装置等により実現される。判定部１０７は、記憶部１１３等の所定の格納場所に記録された履歴情報を少なくとも利用して、電子機器１０の保持者（ユーザ）が日常的に訪れる領域（地域）を表す生活圏を判定する。
【００４１】
判定部１０７が判定するユーザの生活圏の種類は、特に限定されるわけではないが、例えば、図４に示したような項目が、生活圏として判定される。また、判定部１０７は、自宅、職場／学校、利用駅、食事エリア、買い物エリア、スポーツエリア、趣味・娯楽エリアといった各生活圏のうち、少なくともいずれかを判定することが可能である。
【００４２】
なお、自宅、職場／学校、利用駅など、図４に示した項目に該当する生活圏は、１つだけに限定されるわけではなく、各項目について１または複数の地域が、該当する地域として判定される。
【００４３】
また、判定部１０７は、例えば図５に示したように、記憶部１１３等に格納されている履歴情報に加えて、各種の情報を利用しながらユーザの生活圏の判定を行うことが可能である。例えば、判定部１０７は、図５に示したように、履歴情報に加えて、ユーザ個人に関する個人情報（ユーザ情報）を利用することが可能である。このユーザ情報の例として、ユーザの自宅の住所、郵便番号、電話番号、性別、生年月日等を挙げることができる。また、判定部１０７は、ネットワーク３を介して接続可能な各種の情報検索サーバ５から取得した様々な情報を、生活圏の判定に利用することが可能である。
【００４４】
ここで、ネットワーク３は、電子機器１０と情報検索サーバ５とを互いに双方向通信可能に接続する通信回線網である。このネットワークは、例えば、インターネット、電話回線網、衛星通信網、同報通信路等の公衆回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）、Ｅｔｈｅｒｎｅｔ（登録商標）、ワイヤレスＬＡＮ等の専用回線網などで構成されており、有線／無線を問わない。
【００４５】
また、情報検索サーバ５は、検索したい事柄に関するキーワード等を入力することで、当該キーワード等に関連する各種情報を提供する、各種の情報を管理しているサーバである。情報検索サーバ５から取得可能な情報の例として、平日／休日に関するカレンダー情報、地図に関する情報、建物・施設に関する情報、時刻表や路線情報等を含む乗り物に関する情報、道路に関する情報などを挙げることができる。また、図５に示した情報はあくまでも一例であって、判定部１０７は、取得可能な様々な情報を利用して、生活圏の判定を行うことが可能である。
【００４６】
また、判定部１０７は、各種サーバから取得する情報以外にも、例えば地図情報が格納されたＤＶＤディスクやＢｌｕ−ｒａｙディスクなど、各種の記録媒体を参照して、格納されている各種の情報を利用することも可能である。
【００４７】
判定部１０７によるユーザの生活圏の判定処理は、例えば、所定の期間が経過するごとに実施される。この期間は、電子機器１０に予め設定されていてもよく、ユーザが適宜設定した値であってもよい。ただ、以下で詳述するように、生活圏は履歴情報を解析する（例えば、統計処理を実施する）ことで得られるものであるため、履歴情報として登録されているデータの数が多いほど、正確な判定を行うことが可能となる。
【００４８】
従って、例えば、平日の行動に伴う生活圏を判定するのであれば、少なくとも１週間以上の期間で判定処理を実施することが好ましい。また、１カ月以上の期間で判定処理を実施することで、休日の行動に伴う生活圏をより精度よく判定することが可能となる。
【００４９】
判定部１０７が実施する生活圏の判定方法の具体例については、以下で改めて詳細に説明する。
【００５０】
なお、判定部１０７は、例えば図６に示したように、履歴情報と、予め設定された設定情報とに基づいて、生活圏の判定を行うことが可能である。例えば、設定情報として、図６に示したように、「１週間に１０時間以上滞在する半径３ｋｍの範囲」という条件が設定されていた場合、判定部１０７は、履歴情報に基づいて、各位置情報が生活圏か否かを判定することができる。
【００５１】
判定部１０７は、各種の生活圏の判定が終了すると、得られた生活圏に関する情報（例えば、各生活圏の範囲を示す情報など）を、記憶部１１３等に格納することが好ましい。また、判定部１０７は、得られた生活圏に関する情報（以下、生活圏情報とも称する。）を、後述する情報選択部１０９に出力してもよい。また、判定部１０７は、得られた生活圏情報を、電子機器１０の外部に位置する各種の装置に出力することも可能である。
【００５２】
なお、本実施形態に係る判定部１０７は、ユーザの生活圏を自動的に判定するものであるが、ユーザが、判定部１０７による判定に先立って、自身の生活圏に関する情報（例えば、生活圏であることを表す情報や生活圏ではないことを表す情報）を入力してもよい。
【００５３】
また、本実施形態に係る判定部１０７は、ユーザの生活圏を判定するだけでなく、現在位置が、既に認定されている生活圏のいずれかに属するか否かを判定することも可能である。この場合、判定部１０７は、記憶部１１３に格納されている履歴情報に含まれる現在位置情報と、生活圏情報とを参照して、現在位置がいずれかの生活圏に含まれるか否かを判断する。判定部１０７は、記憶部１１３等に格納されている履歴情報を、任意のタイミングで参照する（例えば、常時参照する、所定の周期毎に参照するなど）ことで、かかる判断を実施することができる。
【００５４】
判定部１０７は、現在位置がある生活圏に属するか否かの判定結果を、後述する情報選択部１０９に出力したり、後述する表示制御部１１１を介して表示画面に表示したりすることが可能である。また、判定部１０７は、現在位置がある生活圏に属するか否かの判定結果を、外部の装置に出力することも可能である。
【００５５】
情報選択部１０９は、例えば、ＣＰＵ、ＲＯＭ、ＲＡＭ、通信装置等により実現される。情報選択部１０９は、判定部１０７が生成した生活圏情報、及び、ユーザ等により予め設定された、情報選択に関する設定情報等に基づいて、位置情報に関連付けられた様々な情報の中から、電子機器１０の保持者に提供する情報の選択を行う。また、情報選択部１０９は、情報の選択に際して、ユーザの嗜好等に基づいて更に選択を行うことも可能である。
【００５６】
例えば、情報選択部１０９は、図７に示したように、電子機器１０が備える記憶部１１３に格納されている、位置情報と関連づいた各種の情報の中から、ユーザに提供する情報を選択することができる。記憶部１１３等に、例えば、ユーザが気に入った飲食店に関する情報など、ユーザの嗜好に合致した各種の情報が予め格納されている場合には、情報選択部１０９は、かかる情報の中から設定情報に適合した情報を選択することができる。
【００５７】
また、情報選択部１０９は、生活圏に含まれる位置を表す位置情報に基づいて情報検索サーバ５や他の電子機器７等が保持している各種情報を検索し、得られた検索結果の中から、ユーザに提供する情報を選択することも可能である。例えば、情報選択部１０９は、生活圏に含まれる位置を表す位置情報に基づいて、店舗等の口コミ情報が記載されたサイトや、店舗紹介サイト等を検索することにより、生活圏に属する店舗の情報を提供することできる。
【００５８】
情報選択に関する設定情報として、例えば、「生活圏に属する施設や生活圏内で行われる各種イベント等の情報を提供しない」といった設定や、「生活圏に属する施設や生活圏内で行われる各種イベント等の詳細情報を提供する」といった設定が設定可能である。このような設定情報が予め登録されていることで、情報選択部１０９は、ユーザのニーズに応じた情報を適切に選択することが可能となる。
【００５９】
また、情報選択部１０９は、現在位置が生活圏外にある場合に、ユーザの嗜好情報やユーザによって登録された生活圏内の各種情報を利用して、情報検索サーバ５等から取得した情報のマッチングを行うことも可能である。これにより、情報選択部１０９は、ユーザの嗜好にあった生活圏外の情報を、適切に選択することが可能となる。
【００６０】
また、情報選択部１０９は、現在位置が生活圏外にある場合に、現在位置に基づいて情報検索サーバ５等で情報検索を行い、得られた情報をユーザに提供することも可能である。これにより、例えば、ユーザが旅行などで生活圏外の場所を訪れた場合に、電子機器１０を旅行ガイドブックのようにして利用することができる。
【００６１】
情報選択部１０９は、このようにして選択した情報を、後述する表示制御部１１１を介して電子機器１０が備えるディスプレイ等の表示部に表示させることが可能である。また、情報選択部１０９は、選択した情報を外部の装置に出力することも可能である。
【００６２】
なお、以上説明したような情報の選択処理は、あくまでも一例であって、他にも様々な情報選択処理を実施することが可能である。
【００６３】
表示制御部１１１は、例えば、ＣＰＵ、ＲＯＭ、ＲＡＭ等により実現される。表示制御部１１１は、本実施形態に係る電子機器１０が備えるディスプレイ等の表示装置に表示される表示画面の制御を行う。また、表示制御部１１１は、ユーザが電子機器１０に対して行った操作に関するユーザ操作情報、及び、情報選択部１０９から出力される各種情報等の少なくとも何れかに応じて、表示画面に表示されている内容を変更する。
【００６４】
記憶部１１３は、本実施形態に係る電子機器１０が備えるストレージ装置の一例である。記憶部１１３には、記録制御部１０５によって生成された履歴情報や、判定部１０７により生成された生活圏情報等が格納される。また、記憶部１１３には、電子機器１０のユーザに関するユーザ情報や、ユーザの嗜好を表したユーザ嗜好情報や、ユーザによって予め選択された各種の情報などが、記録されていてもよい。さらに、記憶部１１３には、本実施形態に係る電子機器１０が、何らかの処理を行う際に保存する必要が生じた様々なパラメータや処理の途中経過等、または、各種のデータベースやプログラム等が、適宜記録される。
【００６５】
以上、本実施形態に係る電子機器１０の構成について、その一例を説明した。
なお、上記説明では、電子機器１０が情報選択部１０９を備える場合について説明を行ったが、電子機器１０は、情報選択部１０９を備えていなくともよい。
【００６６】
また、本実施形態に係る電子機器１０は、パーソナルコンピュータや各種サーバ等のコンピュータとして実現されてもよく、携帯用音楽プレーヤ、携帯用ゲーム機、携帯電話、スマートフォン、ＰＤＡ、タッチスクリーンタブレット等の携帯型電子機器として実現されてもよい。また、本実施形態に係る電子機器１０は、テレビ、ＤＶＤレコーダやＢｌｕ−Ｒａｙレコーダ等の各種レコーダとして実現されてもよく、カーナビゲーションシステム等として実現されてもよい。
【００６７】
以上、本実施形態に係る電子機器１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００６８】
なお、上述のような本実施形態に係る電子機器の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００６９】
＜生活圏判定方法の具体例について＞
続いて、本実施形態に係る判定部１０７で実施される生活圏判定方法について、具体的に説明する。なお、以下で説明する具体例は、判定部１０７で実施される生活圏判定方法のあくまでも一例であって、判定部１０７で実施される生活圏判定方法が下記の例に限定されるわけではない。
【００７０】
［自宅の判定例］
通常、ユーザは、夜間の時間帯（特に、午前０時以降の深夜の時間帯）には、自宅で休息していたり、睡眠を取ったりしていると考えられる。そこで、判定部１０７は、夜間の時間帯に、所定時間以上移動がなかった場所を、ユーザの生活圏における自宅と判定することができる。
【００７１】
例えば、判定部１０７は、夜間の時間帯に該当する履歴情報に記載されている位置情報の重心を算出し、算出した重心の位置を、ユーザの生活圏における自宅と判定することができる。また、判定部１０７は、夜間の時間帯に該当する履歴情報に記載されている位置情報を用いて、位置に関する頻度分布を特定し、最大頻度となった位置を、ユーザの生活圏における自宅と判定することができる。
【００７２】
[職場／学校の判定例]
通常、ユーザは、昼間の時間帯（特に、平日の昼間の時間帯）には、職場や学校で活動をしていると考えられる。そこで、判定部１０７は、昼間（特に、平日の昼間）に、所定の日数かつ所定時間以上移動がなかった場所を、ユーザの生活圏における職場又は学校と判定することが可能である。
【００７３】
また、判定部１０７は、ユーザの個人情報が記憶部１１３等に格納されている場合には、ユーザの年齢等を参照して、特定した位置に存在する施設が職場か学校かを大まかに判断することができる。
【００７４】
また、判定部１０７は、特定した位置情報（例えば、緯度・経度に関する情報）を利用して、情報検索サーバ等で情報検索を行い、特定した位置に何が存在するのかを調べてもよい。例えば、情報検索サーバ等に格納されている地図情報を参照して、該当する位置に学校が検出された場合、判定部１０７は、該当する位置を、ユーザの生活圏における学校と判定することができる。逆に、該当する位置が学校ではなかった場合には、該当する位置を、ユーザの生活圏における職場と判定することが可能である。
【００７５】
［利用駅の判定例］
ユーザの自宅と職場又は学校とが特定されると、判定部１０７は、自宅から職場又は学校に移動する際に所定時間以上位置変化のなかった場所を、ユーザが通勤又は通学で利用する駅と判定することができる。なお、ここでいう駅とは、鉄道の駅のみならず、船が接岸する港湾、飛行機を利用する際の空港、バスの停車するバス停など、交通機関を利用するための乗降箇所を含むものである。
【００７６】
また、判定部１０７は、特定した位置情報（例えば、緯度・経度に関する情報）を利用して、情報検索サーバ等で情報検索を行い、特定した位置が、鉄道の駅、港湾、バス停等であるか否かを判断してもよい。また、判定部１０７は、利用駅の位置を特定すると、情報検索サーバ等で該当する交通機関の時刻表を検索して、駅名等を特定することも可能である。
【００７７】
［食事エリアの判定例］
判定部１０７は、朝食、昼食、夕食を摂る時間帯に、所定時間以上移動のなかった、自宅、職場及び学校以外の場所を、ユーザの生活圏における食事エリアと判定することができる。かかる場合においても、判定部１０７は、特定した位置情報を利用して情報検索を行い、該当する位置が飲食店等であるか否かに基づいて、食事エリアを判定することも可能である。
【００７８】
なお、朝食、昼食、夕食の時間帯は、初期値として設定することも可能であるが、ユーザが自身の生活パターンに則した時間帯を指定してもよい。
【００７９】
［スポーツエリアの判定例］
判定部１０７は、特定した位置情報を利用して情報検索を行い、該当する位置がスポーツ施設、公園、河川敷等であった場合に、かかる場所を、ユーザの生活圏におけるスポーツエリアと判定することが可能である。
【００８０】
［買い物エリアの判定例］
判定部１０７は、職場もしくは学校と判定された場所から自宅への移動の間に、所定日数かつ所定時間以上移動がなかった場所、又は、休日に所定日数かつ所定時間以上移動がなかった場所であって、位置情報に基づく情報検索の結果、各種販売店に該当する場所もしくは店舗が密集している場所に該当する場所を、ユーザの生活圏における買い物エリアと判定することが可能である。
【００８１】
［趣味・娯楽エリアの判定例］
判定部１０７は、平日に所定時間以上移動がない場所であって上記エリアに該当しない場所、又は、休日に所定時間以上移動がない場所を、ユーザの生活圏における趣味・娯楽エリアと判定することが可能である。
【００８２】
また、上記エリアに当てはまらず、所定時間以上滞在することが多い場所については、その他の生活圏として名前を自由にユーザが指定して、新たな生活圏とすることが可能である。
【００８３】
判定部１０７は、これら生活圏と判定された各エリアを中心に所定の距離の範囲を、上記各エリアと判断することで、各エリアの範囲を指定することも可能である。この際に、各エリアの範囲に関して、ユーザは、その広さを自由に設定することが可能である。
【００８４】
ここで、上記説明における所定の期間は、ユーザが自由に設定することができる。また、設定の仕方についても、単純に何時間というように設定してもよく、１日に何時間、１週に何時間、１月に何時間などといったように設定すること可能である。
【００８５】
また、上記例では、日中に仕事や学校に行き、夜間は自宅に戻る生活パターンを想定して説明を行ったが、逆に、夜間仕事をして日中は自宅にいる生活パターンを予測することも可能である。また、休日を日曜祭日に限らず自由に設定することにより、生活圏を判断することも可能である。
【００８６】
以上、本実施形態に係る判定部１０７で実施される生活圏の判定方法の一例について、具体的に説明した。
【００８７】
＜生活圏判定方法の流れについて＞
次に、図８〜図１２を参照しながら、本実施形態に係る電子機器１０で実施される生活圏判定方法の流れを説明する。
【００８８】
［生活圏判定方法の全体的な流れ］
まず、図８を参照しながら、本実施形態に係る生活圏判定方法の全体的な流れについて、簡単に説明する。図８は、本実施形態に係る生活圏判定方法の全体的な流れを示した流れ図である。
【００８９】
まず、電子機器１０の位置検出部１０１は、ＧＰＳ、基地局、アクセスポイント等から取得したデータを利用して、電子機器１０の現在位置を検出する（ステップＳ１０１）。位置検出部１０１は、現在位置を検出すると、検出した現在位置を表す現在位置情報を、記録制御部１０５に出力する。
【００９０】
また、電子機器１０の時刻検出部１０３は、現在位置に対応する時刻を検出し（ステップＳ１０３）、検出した時刻に関する時刻情報を、記録制御部１０５に出力する。
【００９１】
記録制御部１０５は、位置検出部１０１から出力された現在位置情報と、時刻検出部１０３から出力された時刻情報とを互いに関連付けて、履歴情報として、記憶部１１３等に記録する（ステップＳ１０５）。
【００９２】
電子機器１０の判定部１０７は、前回生活圏の判定処理を実施してから所定の時間が経過したか否かを判断する（ステップＳ１０７）。所定の時間が経過していない場合には、電子機器１０は、ステップＳ１０１に戻って処理を継続する。
【００９３】
他方、所定の時間が経過していた場合には、判定部１０７は、先に説明したような生活圏判定処理を実施する（ステップＳ１０９）。判定部１０７は、生活圏判定処理が終了すると、ステップＳ１０１に戻って、次に生活圏判定処理を実施するタイミングが到来するまで、待ち受けを行う。
【００９４】
［自宅の判定処理−その１］
次に、図９を参照しながら、判定部１０７で実施される自宅の判定処理の流れについて、簡単に説明する。図９は、本実施形態に係る判定部１０７で実施される自宅の判定処理の流れを示した流れ図である。
【００９５】
判定部１０７は、まず、記憶部１１３等に格納されている履歴情報のうち、夜間帯に属する履歴情報を抽出する（ステップＳ１１１）。次に、判定部１０７は、抽出した履歴情報に含まれる位置情報を取得し、得られた位置情報の重心位置を算出する（ステップＳ１１３）。その後、判定部１０７は、算出した重心位置を、ユーザの自宅であると判定する（ステップＳ１１５）。
【００９６】
［自宅の判定処理−その２］
また、判定部１０７は、図１０に示したような流れで、ユーザの自宅位置を判定することも可能である。図１０は、本実施形態に係る判定部１０７で実施される自宅の判定処理の流れを示した流れ図である。
【００９７】
判定部１０７は、まず、記憶部１１３等に格納されている履歴情報のうち、夜間帯に属する履歴情報を抽出する（ステップＳ１２１）。次に、判定部１０７は、抽出した履歴情報に含まれる位置情報を取得し、位置情報に記載されている位置の頻度分布を算出する（ステップＳ１２３）。その後、判定部１０７は、算出した頻度分布のうち最大頻度となる位置を、ユーザの自宅であると判定する（ステップＳ１２５）。
【００９８】
判定部１０７は、以上説明したような方法により、履歴情報からユーザの自宅の位置を判定することができる。
【００９９】
なお、判定部１０７における職場／学校の判定処理については、先に説明したように、図９及び図１０に示した方法と同様の方法で特定することが可能であるため、説明は省略する。
【０１００】
［利用駅の判定処理］
次に、図１１を参照しながら、判定部１０７が実施するユーザの利用駅の判定処理について、その流れを説明する。図１１は、本実施形態に係る判定部１０７で実施される利用駅の判定処理の流れを示した流れ図である。
【０１０１】
以下の説明に先立ち、判定部１０７は、記憶部１１３等に格納されている履歴情報を参照して、電子機器１０の保持者であるユーザが、ユーザの生活圏における自宅に居ることを把握しているものとする。また、判定部１０７は、記憶部１１３等に格納されている履歴情報を任意のタイミングで参照しており、ユーザの移動開始を検知可能である。
【０１０２】
判定部１０７は、記憶部１１３等に格納されている履歴情報に含まれる現在位置情報を参照して、ユーザが自宅からの移動を開始したことを検知する（ステップＳ１３１）。判定部１０７は、ユーザの移動に伴って順次追加される履歴情報を参照して、ユーザの動きを把握するとともに、ユーザが所定時間以上停止しているか否かを判断する（ステップＳ１３３）。
【０１０３】
ユーザが所定時間以上停止していない場合には、判定部１０７は、ステップＳ１３３に戻って、処理を継続する。また、ユーザが所定時間以上停止している場合には、判定部１０７は、ユーザが停止している場所を表す現在位置情報に基づいて、情報検索サーバにより地図情報を検索する（ステップＳ１３５）。
【０１０４】
判定部１０７は、検索の結果を利用して、ユーザが停止している場所が駅などの交通機関を利用するための乗降箇所であるか否かを判断する（ステップＳ１３７）。ユーザが停止している場所が駅などの交通機関を利用するための乗降箇所ではなかった場合には、判定部１０７は、ステップＳ１３３に戻って処理を継続する。他方、ユーザが停止している場所が駅などの交通機関を利用するための乗降箇所であった場合、検出した場所を、ユーザの利用駅と判定する（ステップＳ１３９）。
【０１０５】
このような処理を行うことで、判定部１０７は、ユーザの生活圏における利用駅を、履歴情報及び情報検索結果を利用して判定することができる。
【０１０６】
［食事エリアの判定処理］
次に、図１２を参照しながら、判定部１０７が実施するユーザの食事エリアの判定処理について、その流れを説明する。図１２は、本実施形態に係る判定部１０７で実施される食事エリアの判定処理の流れを示した流れ図である。
【０１０７】
以下の説明に先立ち、判定部１０７には、朝食、昼食及び夕食を取り得る時間帯が予め設定されているものとする。この時間帯の設定は、ユーザによってなされたものであってもよく、予め設定されたものであってもよい。
【０１０８】
判定部１０７は、電子機器１０に設けられた時計機能や、ＧＰＳ、基地局、アクセスポイント等から取得した情報や、ネットワークに接続された各種サーバから取得した情報等に基づき、食事を取りうる所定の時間帯が到来した旨を検知する（ステップＳ１４１）。
【０１０９】
判定部１０７は、ユーザの移動に伴って順次追加される履歴情報を参照して、ユーザの動きを把握するとともに、ユーザが所定時間以上停止しているか否かを判断する（ステップＳ１４３）。
【０１１０】
ユーザが所定時間以上停止していない場合には、判定部１０７は、ステップＳ１４３に戻って、処理を継続する。また、ユーザが所定時間以上停止している場合には、判定部１０７は、ユーザが停止している場所を表す現在位置情報に基づいて、情報検索サーバにより地図情報を検索する（ステップＳ１４５）。
【０１１１】
判定部１０７は、検索の結果を利用して、ユーザが停止している場所が飲食店であるか否かを判断する（ステップＳ１４７）。ユーザが停止している場所が飲食店ではなかった場合には、判定部１０７は、ステップＳ１４３に戻って処理を継続する。他方、ユーザが停止している場所が飲食店であった場合、検出した場所を、ユーザの生活圏における食事エリアと判定する（ステップＳ１４９）。
【０１１２】
このような処理を行うことで、判定部１０７は、ユーザの生活圏における食事エリアを、履歴情報及び情報検索結果を利用して判定することができる。
【０１１３】
なお、スポーツエリア、買い物エリア、趣味・娯楽エリアの判定処理についても、大まかな流れは図１２に示した場合と同様であるため、以下では説明は省略する。
【０１１４】
＜情報選択方法の流れについて＞
次に、図１３を参照しながら、本実施形態に係る電子機器１０で実施されうる情報選択方法の流れを、簡単に説明する。図１３は、本実施形態に係る情報選択部１０９で実施される情報選択方法の流れを示した流れ図である。
【０１１５】
情報選択部１０９は、位置検出部１０１及び記憶部１１３の少なくとも何れかから、電子機器１０の現在位置に関する位置情報を取得する（ステップＳ１５１）とともに、記憶部１１３等に格納されている生活圏情報を取得する（ステップＳ１５３）。
【０１１６】
次に、情報選択部１０９は、情報選択に関する設定情報に基づいて、記憶部１１３、情報検索サーバ、他の電子機器等から取得した情報（位置情報に関連づけられた情報）の中から、条件に適合するものを検索する（ステップＳ１５５）。これにより、情報選択部１０９は、生活圏に属している情報の詳細を選択したり、逆に、生活圏に属している情報を選択しなかったりすることで、ユーザの求める情報を選択することができる。
【０１１７】
情報選択部１０９は、検索の結果得られた情報を、表示制御部１１１等を介してディスプレイ等の表示装置に表示する（ステップＳ１５７）。これにより、ユーザは、情報選択部１０９により選択された情報を把握することが可能となる。
【０１１８】
以上、本発明の第１の実施形態に係る電子機器１０及び生活圏判定方法について、詳細に説明した。
【０１１９】
（第２の実施形態）
先に説明した本発明の第１の実施形態に係る電子機器１０は、電子機器１０が現在位置情報及び時刻情報を取得して、自らユーザの生活圏を判定するものであった。以下で説明する第２の実施形態は、現在位置情報を取得する電子機器１０と、現在位置情報を利用してユーザの生活圏を判定する情報判定サーバ２０とが互いに連携することでユーザの生活圏を判定する、情報判定システムに関するものである。
【０１２０】
＜電子機器の構成について＞
まず、図１４を参照しながら、本実施形態に係る電子機器１０の構成について説明する。図１４は、本実施形態に係る電子機器１０の構成を示したブロック図である。
【０１２１】
本実施形態に係る電子機器１０は、図１４に示したように、位置検出部１０１と、情報選択部１０９と、表示制御部１１１と、記憶部１１３と、送信部１５１と、受信部１５３と、を主に備える。
【０１２２】
ここで、本実施形態に係る位置検出部１０１、表示制御部１１１及び記憶部１１３は、第１の実施形態に係る各処理部と同様の構成を有し、同様の効果を奏するものである。従って、以下では詳細な説明は省略する。
【０１２３】
また、本実施形態に係る情報選択部１０９は、ユーザに提供する情報を選択する際に、後述する受信部１５３が情報判定サーバ２０から取得した生活圏情報を利用する。また、本実施形態に係る情報選択部１０９は、取得した生活圏情報と、記憶部１１３等に格納されている履歴情報に含まれる現在位置情報を参照することで、現在位置が既に登録されている生活圏に含まれるか否かを判断することが可能である。情報選択部１０９は、現在位置が生活圏に含まれているか否かの判断結果を、表示制御部１１１を介して、電子機器１０が有するディスプレイ等の表示装置に出力することができる。
【０１２４】
また、本実施形態に係る情報選択部１０９は、後述する情報判定サーバ２０から送信されたユーザに提供するための情報を、更なる選択処理を行うことなくユーザに提供してもよい。
【０１２５】
なお、本実施形態に係る情報選択部１０９は、上記の機能以外は第１の実施形態に係る情報選択部１０９と同様の構成を有し、同様の効果を奏するものである。従って、以下では詳細な説明は省略する。
【０１２６】
送信部１５１は、例えば、ＣＰＵ、ＲＯＭ、ＲＡＭ、通信装置等により実現される。送信部１５１は、位置検出部１０１が検出した現在位置に関する情報（現在位置情報）を、ネットワーク３を介して、後述する情報判定サーバ２０に送信する。
【０１２７】
ここで、以下で説明するように、本実施形態に係る情報判定システムでは、ネットワーク３に接続された情報判定サーバ２０により、ユーザの生活圏を判定する。そこで、どのユーザに関する現在位置情報であるかを情報判定サーバ２０が明確に把握することが可能となるように、送信部１５１は、送信する現在位置情報に、ユーザに固有の識別情報（例えば、ユーザＩＤ等）を関連付ける。
【０１２８】
ここで、送信部１５１は、位置検出部１０１により新たな現在位置が通知される毎に現在位置情報を送信してもよいが、現在位置に変更があった場合に現在位置情報を送信するようにすることが好ましい。新たな現在位置が通知される毎に現在位置情報を送信すると、現在位置情報の送信に要するリソースが膨大なものとなるが、現在位置に変更があった場合に現在位置情報を送信するようにすることで、現在位置情報の送信に要するリソースを削減することができる。
【０１２９】
受信部１５３は、例えば、ＣＰＵ、ＲＯＭ、ＲＡＭ、通信装置等により実現される。受信部１５３は、後述する情報判定サーバ２０から送信された当該電子機器１０の保持者（ユーザ）の生活圏情報を受信する。受信部１５３は、ユーザの生活圏情報を受信すると、取得した生活圏情報を、記憶部１１３に記録する。また、受信部１５３は、取得した生活圏情報を、情報選択部１０９に直接出力してもよい。
【０１３０】
なお、本実施形態に係る電子機器１０は、パーソナルコンピュータや各種サーバ等のコンピュータとして実現されてもよく、携帯用音楽プレーヤ、携帯用ゲーム機、携帯電話、スマートフォン、ＰＤＡ、タッチスクリーンタブレット等の携帯型電子機器として実現されてもよい。また、本実施形態に係る電子機器１０は、テレビ、ＤＶＤレコーダやＢｌｕ−Ｒａｙレコーダ等の各種レコーダとして実現されてもよく、カーナビゲーションシステム等として実現されてもよい。
【０１３１】
以上、本実施形態に係る電子機器１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１３２】
なお、上述のような本実施形態に係る電子機器の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【０１３３】
＜情報判定サーバの構成について＞
続いて、図１５を参照しながら、本実施形態に係る情報判定サーバ２０の構成について説明する。図１５は、本実施形態に係る情報判定サーバ２０の構成を示したブロック図である。
【０１３４】
本実施形態に係る情報判定サーバ２０は、図１５に示したように、情報取得部２０１と、時刻検出部２０３と、記録制御部２０５と、判定部２０７と、情報提供部２０９と、記憶部２１１と、を主に備える。
【０１３５】
ここで、時刻検出部２０３、記録制御部２０５及び判定部２０７は、第１の実施形態に係る電子機器１０が備える時刻検出部１０３、記録制御部１０５及び判定部１０７と同様の構成を有し、同様の効果を奏するものである。そのため、以下では詳細な説明は省略する。
【０１３６】
情報取得部２０１は、例えば、ＣＰＵ、ＲＯＭ、ＲＡＭ、通信装置等により実現される。情報取得部２０１は、ネットワーク３を介して電子機器１０から送信された現在位置情報を取得して、後述する記録制御部２０５に出力する。電子機器１０から送信される現在位置情報には、ユーザに固有な識別情報（例えば、ユーザＩＤ等）が関連付けられている。そのため、現在位置情報を取得した情報判定サーバ２０は、どのユーザに関する現在位置情報であるかを、容易に判別することが可能である。
【０１３７】
情報提供部２０９は、例えば、ＣＰＵ、ＲＯＭ、ＲＡＭ、通信装置等により実現される。情報提供部２０９は、判定部２０７により判定された電子機器１０のユーザの生活圏に関する生活圏情報を、対応する電子機器１０に対して提供する。
【０１３８】
また、情報提供部２０９は、ユーザの生活圏情報と、当該ユーザの履歴情報とに基づいて、ユーザに提供する情報（位置情報に関連づけられた各種情報）の選択を行い、対応する電子機器１０に提供する。換言すれば、本実施形態に係る情報提供部２０９は、第１の実施形態に係る電子機器１０が有する情報選択部１０９の機能を兼ね備えているといえる。
【０１３９】
記憶部２１１は、本実施形態に係る情報判定サーバ２０が備えるストレージ装置の一例である。記憶部２１１には、記録制御部２０５によって生成された履歴情報や、判定部２０７により生成された生活圏情報等が、ユーザ毎に関連づけられて格納される。また、記憶部２１１には、電子機器１０のユーザに関するユーザ情報や、ユーザの嗜好を表したユーザ嗜好情報や、ユーザによって予め選択された各種の情報などが、記録されていてもよい。さらに、記憶部２１１には、本実施形態に係る情報判定サーバ２０が、何らかの処理を行う際に保存する必要が生じた様々なパラメータや処理の途中経過等、または、各種のデータベースやプログラム等が、適宜記録される。
【０１４０】
なお、記憶部２１１には、電子機器１０のユーザに関するあらゆる情報が格納されうるが、ユーザの個人情報については、個人情報保護の観点から、保持していない方が好ましい。なお、ユーザの個人情報を保持しないために、確定が困難になる生活圏情報が存在する場合には、情報判定サーバ２０は、候補となる情報を電子機器１０に出力して、電子機器１０のユーザによって、生活圏情報の属性づけを実施してもらうことができる。
【０１４１】
また、記憶部２１１には、生活圏情報や履歴情報を含むユーザ情報が、ユーザ毎に格納されている。そのため、本実施形態に係る判定部２０７は、各ユーザ情報を参照して、同一の自宅に関する生活圏情報や、職場／学校に関する生活圏情報を保持しているユーザを、例えば、家族や、職場の同僚／学校の同窓生等として判定することができる。
【０１４２】
以上、本実施形態に係る情報判定サーバ２０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１４３】
なお、上述のような本実施形態に係る情報判定サーバの各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【０１４４】
＜生活圏判定方法の流れについて＞
次に、図１６を参照しながら、本実施形態に係る情報判定サーバ２０で実施される生活圏判定方法の全体的な流れを説明する。図１６は、本実施形態に係る生活圏判定方法の全体的な流れを示した流れ図である。
【０１４５】
なお、情報判定サーバ２０で実施される個別の生活圏判定処理の流れは、第１の実施形態に係る電子機器１０で実施される生活圏判定処理の流れと同様のものであるため、以下では詳細な説明は省略する。
【０１４６】
まず、電子機器１０の位置検出部１０１は、ＧＰＳ、基地局、アクセスポイント等から取得したデータを利用して、電子機器１０の現在位置を検出する（ステップＳ２０１）。位置検出部１０１は、現在位置を検出すると、検出した現在位置を表す現在位置情報を、送信部１５１に出力する。
【０１４７】
送信部１５１は、位置検出部１０１から出力された現在位置情報を参照し、電子機器１０の現在位置が変化したと判断される場合に、位置検出部１０１から出力された現在位置情報を、ネットワーク３を介して情報判定サーバ２０に出力する（ステップＳ２０３）。この際、送信部１５１は、電子機器１０を保持しているユーザの識別情報（例えば、ユーザＩＤ等）を、送信する現在位置情報に関連付ける。
【０１４８】
情報判定サーバ２０の情報取得部２０１は、電子機器１０から送信された現在位置情報を取得すると、取得した現在位置情報を、記録制御部２０５に出力する。また、時刻検出部２０３は、取得した現在位置情報に対応する時刻を検出し（ステップＳ２０５）、検出した時刻に関する時刻情報を、記録制御部２０５に出力する。
【０１４９】
情報判定サーバ２０の記録制御部２０５は、情報取得部２０１から出力された現在位置情報と、時刻検出部２０３から出力された時刻情報とを互いに関連付けて、履歴情報として、記憶部２１１等に記録する（ステップＳ２０７）。この際、記録制御部２０５は、現在位置情報に関連付けられているユーザの識別情報を参照して、該当するユーザの履歴情報に、取得した新たな履歴情報を追記する。
【０１５０】
情報判定サーバ２０の判定部２０７は、前回生活圏の判定処理を実施してから所定の時間が経過したか否かを判断する（ステップＳ２０９）。所定の時間が経過していない場合には、情報判定サーバ２０は、ステップＳ２０５に戻って処理を継続する。
【０１５１】
他方、所定の時間が経過していた場合には、判定部２０７は、先に説明したような生活圏判定処理を実施する（ステップＳ２１１）。判定部２０７は、生活圏判定処理が終了すると、判定結果を該当するユーザのユーザ情報に関連付けて記憶部２１１等に格納する（ステップＳ２１３）。また、判定部２０７は、判定の結果得られた生活圏情報を、情報提供部２０９に出力する。情報提供部２０９は、判定の結果得られた生活圏情報を、該当する電子機器１０に出力する（ステップＳ２１３）。
【０１５２】
電子機器１０の受信部１５３は、情報判定サーバ２０から送信された生活圏情報を取得すると、取得した生活圏情報を、記憶部１１３等に格納する（ステップＳ２１５）。これにより、電子機器１０は、ユーザの生活圏に関する情報を取得することができる。
【０１５３】
＜情報選択方法の流れについて＞
次に、図１７及び図１８を参照しながら、本実施形態に係る電子機器１０及び情報判定サーバ２０からなる情報判定システムで実施される情報選択方法の流れを、簡単に説明する。図１７及び図１８は、本実施形態に係る情報判定システムで実施される情報選択方法の流れを示した流れ図である。
【０１５４】
まず、電子機器１０の情報選択部１０９は、送信部１５１を介して、ユーザＩＤと、どのような情報の取得を希望するかを表したリクエスト情報とを互いに関連付けて、情報判定サーバ２０に送信する（ステップＳ２２１）。なお、このリクエスト情報には、ユーザの現在位置に関する現在位置情報が含まれていることが好ましい。
【０１５５】
情報判定サーバ２０の情報取得部２０１は、電子機器１０から送信されたユーザＩＤとリクエスト情報とを取得すると、取得したこれらの情報を、情報提供部２０９に出力する。情報提供部２０９は、これらの情報を取得すると、取得したユーザＩＤを参照して、対応するユーザの生活圏情報を、記憶部２１１等の所定の箇所から抽出する（ステップＳ２２３）。
【０１５６】
次に、情報提供部２０９は、取得したリクエスト情報と、生活圏情報とに基づいて、ユーザに提供する各種の情報を検索する（ステップＳ２２５）。次に、情報提供部２０９は、リクエスト情報等に記載されている、どのような情報の取得を希望するのかを表す設定情報に基づいて、検索結果の中から、電子機器１０に提供する情報を選択する（ステップＳ２２７）。その後、情報提供部２０９は、選択した情報を、リクエスト情報を送信した電子機器１０に対して出力する（ステップＳ２２９）。
【０１５７】
電子機器１０の受信部１５３は、情報判定サーバ２０から送信された情報を取得すると、取得した情報を、情報選択部１０９に出力する。情報選択部１０９は、情報判定サーバ２０から出力された情報を取得すると、取得した情報を、表示制御部１１１を介して表示する（ステップＳ２３１）。これにより、電子機器１０のユーザは、生活圏情報に基づいて選択された各種の情報を、把握することが可能となる。
【０１５８】
なお、本実施形態に係る情報判定システムでは、図１８に示したような流れで、ユーザが自身の生活圏の範囲外に存在している場合において、ユーザの嗜好に則した情報を提供することが可能となる。ユーザが自身の生活圏の範囲外に居るということは、ユーザの日常的な生活パターンとは異なるイレギュラーな事態が生じていると想定される。そこで、本実施形態に係る情報判定システムでは、生活圏の範囲外に関する情報であっても、生活圏情報を利用して情報のマッチングを図ることにより、ユーザの嗜好に則した情報をユーザに提供することができる。
【０１５９】
まず、電子機器１０の情報選択部１０９は、送信部１５１を介して、ユーザＩＤと、どのような情報の取得を希望するかを表したリクエスト情報とを互いに関連付けて、情報判定サーバ２０に送信する（ステップＳ２４１）。なお、このリクエスト情報には、ユーザの現在位置に関する現在位置情報が含まれていることが好ましい。
【０１６０】
情報判定サーバ２０の情報取得部２０１は、電子機器１０から送信されたユーザＩＤとリクエスト情報とを取得すると、取得したこれらの情報を、情報提供部２０９に出力する。情報提供部２０９は、これらの情報を取得すると、取得したユーザＩＤを参照して、対応するユーザの生活圏情報を、記憶部２１１等の所定の箇所から抽出する（ステップＳ２４３）。
【０１６１】
次に、情報提供部２０９は、取得したリクエスト情報と、生活圏情報とに基づいて、生活圏内の各種の情報を検索する（ステップＳ２４５）。次に、情報提供部２０９は、現在位置情報を少なくとも利用して、ユーザに提供する情報の候補となる、現在位置周辺の情報を検索する（ステップＳ２４７）。
【０１６２】
続いて、情報提供部２０９は、生活圏内の各種の情報と、現在位置周辺の各種の情報とのマッチングを行う（ステップＳ２４９）。これにより、ユーザの嗜好に則した情報を、現在位置周辺の各種情報の中から抽出することが可能となる。その後、情報提供部２０９は、リクエスト情報等に記載されている、どのような情報の取得を希望するのかを表す設定情報に基づいて、抽出結果の中から、電子機器１０に提供する情報を選択する（ステップＳ２５１）。その後、情報提供部２０９は、選択した情報を、リクエスト情報を送信した電子機器１０に対して出力する（ステップＳ２５３）。
【０１６３】
電子機器１０の受信部１５３は、情報判定サーバ２０から送信された情報を取得すると、取得した情報を、情報選択部１０９に出力する。情報選択部１０９は、情報判定サーバ２０から出力された情報を取得すると、取得した情報を、表示制御部１１１を介して表示する（ステップＳ２５５）。これにより、電子機器１０のユーザは、生活圏の範囲外に居る場合であっても、生活圏情報に基づいて選択された各種の情報を取得することが可能となる。
【０１６４】
以上、図１７及び図１８を参照しながら、本実施形態に係る情報選択方法の流れについて、簡単に説明した。
【０１６５】
（ハードウェア構成について）
次に、図１９を参照しながら、本発明の実施形態に係る電子機器１０のハードウェア構成について、詳細に説明する。図１９は、本発明の実施形態に係る電子機器１０のハードウェア構成を説明するためのブロック図である。
【０１６６】
電子機器１０は、主に、ＣＰＵ９０１と、ＲＯＭ９０３と、ＲＡＭ９０５と、を備える。また、電子機器１０は、更に、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【０１６７】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、電子機器１０内の動作全般またはその一部を制御する。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらはＣＰＵバス等の内部バスにより構成されるホストバス９０７により相互に接続されている。
【０１６８】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１６９】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、電子機器１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。電子機器１０のユーザは、この入力装置９１５を操作することにより、電子機器１０に対して各種のデータを入力したり処理動作を指示したりすることができる。
【０１７０】
出力装置９１７は、取得した情報をユーザに対して視覚的または聴覚的に通知することが可能な装置で構成される。このような装置として、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなどがある。出力装置９１７は、例えば、電子機器１０が行った各種処理により得られた結果を出力する。具体的には、表示装置は、電子機器１０が行った各種処理により得られた結果を、テキストまたはイメージで表示する。他方、音声出力装置は、再生された音声データや音響データ等からなるオーディオ信号をアナログ信号に変換して出力する。
【０１７１】
ストレージ装置９１９は、電子機器１０の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した各種データなどを格納する。
【０１７２】
ドライブ９２１は、記録媒体用リーダライタであり、電子機器１０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア等である。また、リムーバブル記録媒体９２７は、コンパクトフラッシュ（登録商標）（ＣｏｍｐａｃｔＦｌａｓｈ：ＣＦ）、フラッシュメモリ、または、ＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０１７３】
接続ポート９２３は、機器を電子機器１０に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、電子機器１０は、外部接続機器９２９から直接各種のデータを取得したり、外部接続機器９２９に各種のデータを提供したりする。
【０１７４】
通信装置９２５は、例えば、通信網９３１に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ（登録商標）、またはＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線または無線によって接続されたネットワーク等により構成され、例えば、インターネット、家庭内ＬＡＮ、赤外線通信、ラジオ波通信または衛星通信等であってもよい。
【０１７５】
以上、本発明の実施形態に係る電子機器１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１７６】
また、本発明の実施形態に係る情報判定サーバ２０のハードウェア構成は、本発明の実施形態に係る電子機器１０のハードウェア構成と同様であり、以下では、詳細な説明は省略する。
【０１７７】
（まとめ）
以上説明したように、本発明の実施形態によれば、ユーザが電子機器を保持して行動するだけで、電子機器は、ユーザの自宅や職場／学校の位置、利用する買い物スポットやスポーツ施設、食事場所などの生活圏を自動的に判断することができる。また、かかる生活圏に関する情報を利用することで、生活に密着した情報は、ユーザが生活圏内にいるときに提供することが可能となり、ユーザが生活圏外に出たときには、レジャーなどの情報の提供を行うことが可能となる。
【０１７８】
これにより、本発明の実施形態では、ＴＰＯに合わせた情報の提供をユーザに行うことが可能となり、ユーザのライフスタイルそのものを大きく変えることが可能である。
【０１７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１８０】
３    ネットワーク
５    情報検索サーバ
１０    電子機器
２０    情報判定サーバ
１０１    位置検出部
１０３    時刻検出部
１０５    記録制御部
１０７    判定部
１０９    情報提供部
１１１    表示制御部
１１３    記憶部
１５１    送信部
１５３    受信部
２０１    情報取得部
２０３    時刻検出部
２０５    記録制御部
２０７    判定部
２０９    情報提供部
２１１    記憶部
【図１】
0005994886.tif 000002
【図２】
0005994886.tif 000003
【図３】
0005994886.tif 000004
【図４】
0005994886.tif 000005
【図５】
0005994886.tif 000006
【図６】
0005994886.tif 000007
【図７】
0005994886.tif 000008
【図８】
0005994886.tif 000009
【図９】
0005994886.tif 000010
【図１０】
0005994886.tif 000011
【図１１】
0005994886.tif 000012
【図１２】
0005994886.tif 000013
【図１３】
0005994886.tif 000014
【図１４】
0005994886.tif 000015
【図１５】
0005994886.tif 000016
【図１６】
0005994886.tif 000017
【図１７】
0005994886.tif 000018
【図１８】
0005994886.tif 000019
【図１９】
0005994886.tif 000020